(57)【要約】      （修正有）【課題】区別して取り出したり収納したりするのに便利な、衣類掛けハンガーラックの構造を提供する。【解決手段】台座１０と、少なくとも一つのハンガーフレームユニット２０と、ズボン吊るしフレーム３０とからなる。ハンガーフレームユニット２０は、台座１０に設けられると共に、二つの縦棒２１と、縦棒２１と結合した固定部品２２と、上ハンガーポール２３とからなる。固定部品２２には、後方向或いは向かい合って嵌合部２２１が凸設される。ズボン吊るしフレーム３０は、横棒３１と、垂直に横棒３１と接合されるとともに前方に向かい且つ一定距離に配列した下ハンガーポール３２とからなる。横棒３１に凸設された二つの嵌合段部３１１と二つの嵌合部２２１を嵌合することにより、ズボン吊るしフレーム３０がハンガーフレームユニット２０の二つの固定部品２２に固定される。これにより、上着及びズボンを上下に分類して吊すことができる。【選択図】図１
0003188299.tif 000002
【実用新案登録請求の範囲】
【請求項１】
台座と、少なくとも一つのハンガーフレームユニットと、ズボン吊るしフレームとからなる、衣類掛けハンガーラックの構造であって、
前記ハンガーフレームユニットは、それぞれ前記台座両側に固定された二つの縦棒と、二つの縦棒頂部に設けられた上ハンガーポールと、二つの縦棒に設けられた二つの固定部品とからなり、
前記ズボン吊るしフレームは、横棒と、垂直に前記横棒と接合されるとともに前方に向かい且つ間隔を開けて設けられた複数の下ハンガーポールとからなり、
さらに前記ズボン吊るしフレームは、前記横棒両端によってハンガーフレームユニットの二つの固定部品と結合されることを特徴とする、衣類掛けハンガーラックの構造。
【請求項２】
二つの前記縦棒は、二つの内・外管が嵌め合わされてなる伸縮性を有する棒体であり、
前記固定部品は、前記内・外管の接合部に設けられることを特徴とする、請求項１に記載の衣類掛けハンガーラックの構造。
【請求項３】
二つの前記固定部品は、それぞれ後方に向かって嵌合部が凸設され、
前記横棒両端には、下ハンガーポールの側面に向かって垂直に二つの嵌合段部が接合され、
二つの嵌合段部及び二つの固定部品における二つの嵌合部は、ズボン吊るしフレームを固定するように嵌合されることを特徴とする、請求項１に記載の衣類掛けハンガーラックの構造。
【請求項４】
二つの前記固定部品には、内側の方向に向かい合う二つの嵌合部が設けられ、
前記横棒両端には、軸方向に延伸した二つの嵌合段部が設けられ、
二つの前記嵌合段部は、前記ズボン吊るしフレームが半径方向に回転することを防ぐように二つの固定部品における二つの嵌合部に嵌め入れられるとともに、それぞれ固定部品によって固定されることを特徴とする、請求項１に記載の衣類掛けハンガーラックの構造。
【請求項５】
前記横棒は中空管体であり、
前記横棒は、下ハンガーポールが設けられた一側の管壁に下ハンガーポールと同数の大径孔が穿設され、下ハンガーポールが設けられていない側の管壁に同数の小径孔が穿設され、
前記下ハンガーポールの嵌合部には、結合孔が設けられ、
さらに前記下ハンガーポールは、大径孔を通して横棒内に嵌め入れられて小径孔内壁に接触するとともに、螺合部品が小径孔に挿合されて前記結合孔と結合することによって螺合されることを特徴とする、請求項１から４のいずれかに記載の衣類掛けハンガーラックの構造。
【考案の詳細な説明】
【技術分野】
【０００１】
本考案は、ハンガーラックに関し、特に上着及びズボンを上・下に分類して吊るすことができ、区別して取り出したり収納したりするのに便利な、衣類掛けハンガーラックの構造に関する。
【背景技術】
【０００２】
台湾特許第Ｍ２９１７６６及び５８９９８２号に開示されているハンガーラックは、主に、ハンガーラックの上ハンガーポール（第一ハンガーポール部・第二ハンガーポール部）下方に下ハンガーポール（第三ハンガーポール部・第四ハンガーポール部）を設けることによって、吊るすスペースを増やすという目的を達成している。
【０００３】
ポール一本式かポール二本式かを問わず、前述のハンガーラックは、設けられた下ハンガーポール（第三ハンガーポール部・第四ハンガーポール部）がいずれも直棒構造であるため、上着及びズボンが上下に入り乱れて吊るされることが多く、効果的に分類して吊るしたり収納したりすることができず、取り出したり吊るして収納したりして使用する際に極めて不便である。
【０００４】
また、ズボンを吊るす時、ズボンを予めハンガーに掛けた上でハンガーラックに吊るさなければならず、別途ハンガーを買う必要があることに加え、吊るし収納及び取り出しの不便さを増す。加えて、ズボンを吊るした後に左右にずれ動いて押し合うため一定の距離に揃えて吊るしておくことができず、さらにハンガーの幅には限りがあるため平らに掛けておくことができず皺になりやすい。
【先行技術文献】
【特許文献】
【０００５】
【特許文献１】台湾特許第Ｍ２９１７６６号明細書
【特許文献２】台湾特許第Ｍ５８９９８２ 号明細書
【考案の概要】
【考案が解決しようとする課題】
【０００６】
本考案は、上着及びズボンを上・下に分類して吊るして収納することで区別して取り出すのに便利であるとともに、ズボンを直接掛けて平ら且つ一定距離に保つ効果を有し、さらに道具を使わずに組み立てることができて、構造が簡単で素早い組み立てが可能な、衣類掛けハンガーラックの構造を提供することを目的とする。
【課題を解決するための手段】
【０００７】
上述の目的を達成するため、本考案の衣類掛けハンガーラックの構造は、台座と、少なくとも一つのハンガーフレームユニットと、ズボン吊るしフレームとからなる。前記ハンガーフレームユニットは、それぞれ前記台座両側に固定された二つの縦棒と、二つの縦棒頂部に設けられた上ハンガーポールと、二つの縦棒に設けられた二つの固定部品とからなる。前記ズボン吊るしフレームは、横棒と、垂直に前記横棒と接合されるとともに前方に向かい且つ間隔を開けて設けられた複数の下ハンガーポールとからなり、さらに前記ズボン吊るしフレームは前記横棒両端によってハンガーフレームユニットの二つの固定部品と結合される。
【０００８】
二つの前記縦棒は、二つの内・外管が嵌め合わされてなる伸縮性を有する棒体である。また、前記固定部品は、内・外管の接合部に設けられる。
【０００９】
本考案の実施例１は以下の構造を有する。二つの固定部品は、それぞれ後方に向かって嵌合部が凸設される。前記横棒両端には、下ハンガーポールの側面に向かって垂直に二つの嵌合段部が接合される。二つの嵌合段部及び二つの固定部品における二つの嵌合部を嵌合することにより、ズボン吊るしフレームが固定される。
【００１０】
本考案の実施例２は以下の構造を有する。二つの前記固定部品は、内側の方向に向かい合う二つの嵌合部が設けられる。前記横棒両端には、軸方向に延伸した二つの嵌合段部が設けられる。二つの嵌合段部を二つの固定部品における二つの嵌合部に嵌め入れて、それぞれ固定部品によって固定することにより、前記ズボン吊るしフレームが半径方向に回転することを防ぐ。
【００１１】
上記の各実施例において、前記横棒は中空管体であり、前記横棒における下ハンガーポールが設けられた一側の管壁には、下ハンガーポールと同数の大径孔が穿設され、下ハンガーポールが設けられていない側の管壁には同数の小径孔が穿設される。さらに、下ハンガーポールの嵌合部には、結合孔が設けられる。以上の構造により、下ハンガーポールは、大径孔を通して横棒内に嵌め入れられて小径孔内壁に接触し、さらに螺合部品が小径孔に挿合されて下ハンガーポールの結合孔と結合されることによって螺合される。
【考案の効果】
【００１２】
従来技術の実質的な効果と比較して、本考案は、前記ズボン吊るしフレームに前方に凸出して設けられた複数の下ハンガーポールが一定間隔に排列し且つ適度な長さに凸伸するという構造を有することにより、ズボンを直接掛けて収納したり取り出したりするのに便利であるとともに、ズボンを予めハンガーに掛けてから吊るさなければならないという不便さを省略し、且つ複数の下ハンガーポール及び上ハンガーポールが上下に分類して収納するためのスペースをなすため、使用者が見分けて取り出すのが容易であるという実用性を有する。
【図面の簡単な説明】
【００１３】
【図１】本考案の斜視部分分解図である。
【図２】本考案の固定部品及びズボン吊るしフレームの分解拡大図である。
【図３】本考案の横棒及び下ハンガーポールの分解拡大斜視図である。
【図４】本考案の横棒及び下ハンガーポールの組み合わせ断面図である。
【図５】本考案を組み合わせて上着及びズボンを上・下に分類して吊るした様子を示した斜視図である。
【図６】本考案において、上・下に分類して衣類を吊るした様子を示した側面図である。
【図７】本考案において、上・下に分類して衣類を吊るした様子を示した正面図である。
【図８】本考案のズボン吊るしフレーム及び固定部品のもう一つの組み立て方法を示した斜視図である。
【図９】図７の組み立て断面図である。
【図１０】図７をポール二本式のハンガーラックに組み合わせて使用し、上着及びズボンを上・下に分類して掛けた様子を示した概略図である。
【考案を実施するための形態】
【００１４】
（実施例１）
図１から図７を参照する。図は、本考案の単一ハンガーポールユニットのハンガーラック構造における実施例である。本実施例は、台座１０と、ハンガーフレームユニット２０と、ズボン吊るしフレーム３０とからなる。
【００１５】
台座１０の底部には、複数の車輪が設けられる。
【００１６】
ハンガーフレームユニット２０は、二つの縦棒２１と、二つの固定部品２２と、上ハンガーポール２３とからなる。縦棒２１は、二つの互いに嵌め合わされた内・外管２１１・２１２を有する。固定部品２２は、それぞれ内・外管２１１・２１２の接合部に結合される。上ハンガーポール２３は、二つの内管２１１頂部の間に設けられる。二つの固定部品２２には、後方に向かって垂直に嵌合部２２１が接合される（図２を参照）。
【００１７】
ズボン吊るしフレーム３０は、横棒３１と、垂直に横棒３１と接合されるとともに前方に向かい且つ間隔を開けて設けられた複数の下ハンガーポール３２とからなる。横棒３１の両端には、下ハンガーポール３２の側面に向かって垂直に二つの嵌合段部３１１が接合される。また、二つの嵌合段部３１１の長さは、下ハンガーポール３２よりも短いため（図２を参照）、二つの嵌合段部３１１と二つの固定部品２２における嵌合部２２１を嵌合することにより、ズボン吊るしフレーム３０をハンガーフレームユニット２０に固定することができる。以上の構造により、道具を使わずに組み立てることができるとともに、構造が簡略で素早い組み立てが可能になる（図５を参照）。また、本実施例における組み立て方法は、図１０に示したポール二本式のハンガーラックにも適用される（図示せず）。
【００１８】
また、横棒３１における下ハンガーポール３２が設けられた一側壁には、下ハンガーポール３２を挿設するための同数の大径孔３１２が穿設され、下ハンガーポール３２が設けられていない方の側壁には同数の小径孔３１３が穿設されて大径孔３１２と対応する。さらに、下ハンガーポール３２の嵌合部には、結合孔３２１が設けられる。以上の構造により、下ハンガーポール３２は、大径孔３１２を通して横棒３１内に嵌め入れられて小径孔３１３内壁に接触し、さらに螺合部品３３が小径孔３１３を通して結合孔３２１に挿合されることによって螺合される（図３、４を参照）。
【００１９】
図５から７を参照する。本考案のハンガーラックを使用する際、前方に凸設されるとともに一定間隔に配列された複数の下ハンガーポール３２に直接ズボン４０を掛け、また上ハンガーポール３１に上着５０を吊るすことができる。以上のように、上着５０及びズボン４０を効果的に分類して掛けて収納することができるため、衣類を身につける人が区別して取り出したり、掛けて収納したりするのに便利であるという使用上の実用性を有する。また、下ハンガーポール３２は、前方に凸設されるとともに充分な長さを有しているため、ズボン４０を平ら且つ一定間隔に揃えて掛けることができるという効果を有する。
【００２０】
（実施例２）
図８を参照する。図は、ズボン吊るしフレーム及び二つの固定部品のもう一つの組み立て実施例である。二つの嵌合部２２１Ａは、二つの固定部品２２に向かい合って凸設される。また、横棒３１両端には、軸方向に延伸した二つの嵌合段部３１１Ａが設けられる。二つの嵌合段部３１１Ａは、二つの嵌合部２２１Ａに嵌め入れられてから、それぞれ固定部品３４によって固定される。これにより、ズボン吊るしフレーム３０が半径方向に回転することを防ぐ（図９を参照）。次に、図１０を参照する。図は、ポール二本式のハンガーラックの例である。ズボン吊るしフレーム３０は、後側のハンガーフレームユニット２０に取り付けられるとともに、複数の下ハンガーポール３２が前側のハンガーフレームユニット２０に向かって設けられることにより、複数の下ハンガーポール３２及び二つのハンガーフレームユニット２０における二つの上ハンガーポール２３が上下に分類して掛けるためのスペースを形成する。以上の構造により、上述と同様に上着及びズボンを上下に分類して吊るすことができるとともに、区別して取り出したり収納したりするのに便利であるという目的を達成する。また、本実施例における組み立て方法は、図１に示したポール一本式のハンガーラックにも適用される（図示せず）。
【符号の説明】
【００２１】
１０          台座
２０          ハンガーフレームユニット
２１          縦棒
２１１        内管
２１２        外管
２２          固定部品
２２１        嵌合部
２２１Ａ      嵌合部
２３          上ハンガーポール
３０          ズボン吊るしフレーム
３１          横棒
３２          下ハンガーポール
３１１        嵌合段部
３１１Ａ      嵌合段部
３１２        大径孔
３１３        小径孔
３３          螺合部品
３２１        結合孔
３４          固定部品
４０          ズボン
５０          上着
【図１】
0003188299.tif 000003
【図２】
0003188299.tif 000004
【図３】
0003188299.tif 000005
【図４】
0003188299.tif 000006
【図５】
0003188299.tif 000007
【図６】
0003188299.tif 000008
【図７】
0003188299.tif 000009
【図８】
0003188299.tif 000010
【図９】
0003188299.tif 000011
【図１０】
0003188299.tif 000012